(57)【要約】【課題】リンクプレートの形状を最適化して重量の最小化を図り、軽量の駆動用ローラチェーンを提供する。【解決手段】外プレート４が、１対のリンクピン孔の間に形成されたほぼ矩形の外窓１１を有し、内プレート７が、１対のブッシュ孔５の間に形成されたほぼ矩形の内窓１０を有している。外窓および内窓の隅には丸みがとってある。外プレート４および内プレート７は、長さ方向両端部の円弧部分４１，７１と円弧部分４１，７１から長さ方向中央に、かつ外プレートおよび内プレートの幅方向外側に略直線的に向かう辺４２，７２とから形成されている。辺４２，７２は、外プレート７の円弧部分４１，７１の端部接線方向に対して内側に向かうように設定されている。【選択図】図１
2008020008.tif 000002
【特許請求の範囲】
【請求項１】
一対のリンクピン孔を有する外リンクプレートと、一対のブッシュ孔を有する内リンクプレートとからなり、前記内リンクプレートのブッシュ孔に両端が嵌合されたブッシュと該ブッシュに挿通され両端が前記リンクピン孔に嵌合されたリンクピンとで前記外リンクプレートおよび内リンクプレートを互いに連結してなる駆動用ローラチェーンにおいて、
前記外リンクプレートが、前記１対のリンクピン孔の間に形成された外窓を有し、
前記内リンクプレートが、前記１対のブッシュ孔の間に形成された内窓を有していることを特徴とする駆動用ローラチェーン。
【請求項２】
前記外窓の外リンクプレート幅方向寸法と前記リンクピン孔の直径とが略同一であり、
前記内窓の内リンクプレート幅方向寸法と前記ブッシュ孔の直径とが略同一であることを特徴とする請求項１記載の駆動用ローラチェーン。
【請求項３】
前記外リンクプレートおよび内リンクプレートが、その長さ方向および幅方向のいずれにおいても対称形状をなしていることを特徴とする請求項１または２記載の駆動用ローラチェーン。
【請求項４】
前記外窓および内窓が、略矩形であることを特徴とする請求項１〜３のいずれかに記載の駆動用ローラチェーン。
【請求項５】
前記外窓および内窓の隅には丸みがとってあることを特徴とする請求項４記載の駆動用ローラチェーン。
【請求項６】
前記外リンクプレートおよび内リンクプレートの外形が、その長さ方向両端部の円弧部分と、該円弧部分から長さ方向中央に、かつ該外リンクプレートおよび内リンクプレートの幅方向外側に略直線的に向かう辺とから形成されており、
前記辺が、前記外リンクプレートの前記円弧部分の端部接線方向に対して内側に向かうように設定されていることを特徴とする請求項１〜５のいずれかに記載の駆動用ローラチェーン。
【請求項７】
前記外リンクプレートおよび内リンクプレートの外形および前記外窓および内窓の形状が、歪みエネルギーの面方向分布の解析結果に基づいて、該歪みエネルギーが小さい部位に略一致するように決定されていることを特徴とする請求項１〜６のいずれかに記載の駆動用ローラチェーン。
【請求項８】
複数のリンクプレートを連結部材で互いに連結してなる駆動用ローラチェーンにおいて、
前記リンクプレートに、前記連結部材を嵌挿する二つの連結用孔と、該二つの連結用孔の間に形成された矩形窓とが設けられていることを特徴とする駆動用ローラチェーン。
【発明の詳細な説明】
【技術分野】
【０００１】
本発明は、駆動用ローラチェーンに関し、特に、軽量化を図るのに好適な駆動用ローラチェーンに関する。
【背景技術】
【０００２】
特開２００６−０６４０４９号公報には、リンクピンのピン孔から先端側の外形が、ピン孔の中心から見て中心線から４５°の方向で最大となるように一様に滑らかに膨出させたリンクプレートを有するローラチェーンが記載されている。このローラチェーンのリンクプレートによれば、重量の増大を少なくして強度を増大させることができる。
【０００３】
また、特開平４−２１０１４４号公報には、荷重に対する変形量をリンクプレートと同じにすることによってリンクピンにかかる応力を低減することができるサイレントチェーンのガイドリンクプレートが記載されている。このガイドリンクプレートには、リンクピンを通すピン孔以外に開口またはスリットが形成されている。
【特許文献１】特開２００６−０６４０４９号公報
【特許文献２】特開平４−２１０１４４号公報
【発明の開示】
【発明が解決しようとする課題】
【０００４】
特許文献１に記載されたローラチェーンは、その程度が小さいというものの、膨出部を形成しているので、重量の軽減には限界がある。一方、特許文献２に記載されたサイレントチェーンでは、開口やスリットがあるのである程度の軽量化は望める。しかし、変形量をリンクプレートと同じにするようにガイドリンクプレートの形状が決定されているだけであり、強度を維持して荷重に対する変形を抑えつつ、併せて軽量化を図るという点では満足のいく形状を提供していない。また、従来はリンクプレートに関して積極的な軽量化の検討はなされておらず、例えば、車両に搭載されて動力を伝達するために用いられる駆動用ローラチェーンの開発では、強度を低下させることなく軽量化するのが重要な課題となっている。
【０００５】
本発明の目的は、荷重に対する十分な強度を有していながら、軽量化を図ることができる駆動用ローラチェーンを提供することにある。
【課題を解決するための手段】
【０００６】
上記課題を解決するための本発明は、複数のリンクプレートを連結部材で互いに連結してなる駆動用ローラチェーンにおいて、前記リンクプレートに、前記連結部材を嵌挿する二つの連結用孔と、該二つの連結用孔の間に形成された矩形窓とが設けられている点に第１の特徴がある。
【０００７】
特に、一対のリンクピン孔を有する外リンクプレートと、一対のブッシュ孔を有する内リンクプレートとからなり、前記内リンクプレートのブッシュ孔に両端が嵌合されたブッシュと該ブッシュに挿通され両端が前記リンクピン孔に嵌合されたリンクピンとで前記外リンクプレートおよび内リンクプレートを互いに連結してなる駆動用ローラチェーンにおいて、前記外リンクプレートが、前記１対のリンクピン孔の間に形成された外窓を有し、前記内リンクプレートが、前記１対のブッシュ孔の間に形成された内窓を有している点に第２の特徴がある。
【０００８】
また、本発明は、前記外窓の外リンクプレート幅方向寸法と前記リンクピン孔の直径とが略同一であり、前記内窓の内リンクプレート幅方向寸法と前記ブッシュ孔の直径とが略同一である点に第３の特徴がある。
【０００９】
また、本発明は、前記外リンクプレートおよび内リンクプレートが、その長さ方向および幅方向のいずれにおいても対称形状をなしている点に第４の特徴がある。
【００１０】
また、本発明は、前記外窓および内窓が、略矩形である点に第５の特徴があり、前記外窓および内窓の隅には丸みがとってある点に第６の特徴がある。
【００１１】
また、本発明は、前記外リンクプレートおよび内リンクプレー）  の外形が、その長さ方向両端部の円弧部分と、該円弧部分から長さ方向中央に、かつ該外リンクプレートおよび内リンクプレートの幅方向外側に略直線的に向かう辺とから形成されており、前記辺が、前記外リンクプレートの前記円弧部分の端部接線方向に対して内側に向かうよう設定されている点に第７の特徴がある。
【００１２】
さらに、本発明は、前記外リンクプレートおよび内リンクプレートの外形および前記外窓および内窓の形状が、歪みエネルギーの面方向分布の解析結果に基づいて決定されている点に第８の特徴がある。
【発明の効果】
【００１３】
第１〜第４の特徴によれば、外リンクプレートおよび内リンクプレートに窓が開けられていることによって、駆動用ローラチェーンの軽量化が図られる。
【００１４】
第５および第６の特徴によれば、円形の窓と比較して軽量化効果が大きい。第６の特徴によれば、窓の隅の丸みにより、窓を大きくしつつ、応力集中を回避できる。
【００１５】
第７の特徴によれば、外リンクプレートおよび内リンクプレートのそれぞれの両端部の円弧部分から幅方向に拡大する形状をとりつつ、円弧部分につながる辺を略直線的にしてできるだけ形状を小さく形成することができる。
【００１６】
第８の特徴によれば、歪みエネルギーの面方向分布を解析することにより、より大きい力を伝達している部分と、そうでない部分とを区別でき、的確に無駄な部分を削除して軽量化が図られる。
【発明を実施するための最良の形態】
【００１７】
以下、図面を参照して本発明の一実施形態を説明する。図３は本発明の一実施形態に係る駆動用ローラチェーンの要部斜視図、図４は同上面図である。この駆動用ローラチェーンは、例えば、自動二輪車においてエンジンの出力を駆動輪に伝達するために用いられる。駆動ローラチェーン１は、内リンク２と外リンク３とを順次連結して必要な長さのものに形成される。内リンク２は一対の内リンクプレート（以下、単に「内プレート」という）４と該内プレート４に形成されたブッシュ孔５に嵌挿されるブッシュ６とからなる。一方、外リンク３は一対の外リンクプレート（以下、単に「外プレート」という）７と該外プレート７に形成されたピン孔８に嵌挿されるリンクピン９とからなる。
【００１８】
内プレート４には、２個一対のブッシュ孔５の他に、該ブッシュ孔５間に位置する矩形の開口（以下、「内窓」という）１０を有する。同様に、外プレート７には、２個一対のピン孔８の他に、該ピン孔８間に位置する矩形の開口（以下、「外窓」という）１１を有する。
【００１９】
組み立て時、内プレート４のブッシュ孔５にブッシュ６を嵌挿して内リンク２を形成する。また、１枚の外プレート７のピン孔８にリンクピン９の一端を嵌挿しておく。次いで、内リンク２の一側面に外プレート７に嵌挿されたリンクピン９の先端をあてがい、リンクピン９をブッシュ６内に挿通遊嵌させる。そして、ブッシュ６を貫通させて反対側に突出させたこのリンクピン９の他端をもう１枚の外プレート７のピン孔８に嵌挿する。このようにして１組の駆動用ローラチェーン１が組み立てられる。
【００２０】
なお、ブッシュ６はブッシュ孔５に所定の締め代で塑性域圧入され、ローラピン９はピン孔８に所定の締め代で塑性域圧入される。また、上記組み立て順序は一例であり、種々変形できる。
【００２１】
内プレート４および外プレート７の形状をさらに説明する。図１は内プレート４の正面図、図２は外プレート７の正面図であり、いずれも１／４モデルで表示している。つまり内プレート４および外プレートはその長さ方向および幅方向のいずれにおいても対称形状をなしている。
【００２２】
図１から分かるように、内窓１０は内プレート４の長さ方向（ブッシュ孔５，５をつなぐ線方向）に直交する方向（つまり幅方向）での寸法ｈ１がブッシュ孔５の直径ｄ１とほぼ同一である。
【００２３】
同様に、図２において、外窓１１は外プレート７の長さ方向（ピン孔８，８をつなぐ線方向）に直交する方向（つまり幅方向）での寸法ｈ２がピン孔８の直径ｄ２とほぼ同一である。
【００２４】
また、内プレート４および外プレート７は、それぞれの長さ方向両端を形成している部分円４１，７１の円弧角α１，α２は、従来の内プレートや外プレートの円弧角より小さく設定されている。比較のため、図中に鎖線で従来の内プレートと外プレートの外形と端部円弧角（符号α１−０，α２−０を付している）とを示す。つまり、本実施形態の内プレート４および外プレート７は、従来、大きく設定されていた端部部分円の面積を小さくする一方、内プレート４および外プレート７の幅方向の外形部分（辺）４２，７２をほぼ直線的に形成して端部部分円の接線方向Ｔより内側に延長されるように設定している。
【００２５】
なお、外プレート４の辺４２は内プレート７の辺７２よりやや直線度を緩めて弧を描いている。これは、外プレート７の場合、端部円弧部分から辺４２を直線的に伸ばすと、ブッシュ孔５の縁と辺４２との間が短くなりすぎて、十分な荷重を伝達することができないからである。辺４２を少し外側に膨らますことで耐荷重を十分なものにしている。辺４２を辺７２と同様の直線的にするためには、円弧角α１を円弧角α２より少し大きめに設定すればよい。こうすることによって、ブッシュ孔５と辺４２の縁との距離を大きく確保することができる。
【００２６】
内窓１０および外窓１１は矩形に限らず、図２に示すように外プレート７や内プレート４の長さ方向中央部でやや幅を絞った形状としてもよい。また、内窓１０や外窓１１の隅は応力集中を回避できるように丸みをつける（いわゆるｒをとる）のがよい。
【００２７】
このように、本実施形態の駆動用ローラチェーン１は、内プレート４および外プレート７に内窓１０および外窓１１をそれぞれ設けるとともに、端部部分円４１，７１を、その円弧角が小さいものにして面積を減らしているので、従来品と比較して大幅な軽量化が図られている。例えば、図１，図２に示したものでは、約２３％の軽量化が図られている。
【００２８】
次に、上記軽量化された内プレート４および外プレート７の形状決定に至る手順を説明する。図５は、形状決定の手順を示すフローチャートである。この形状決定手順には、位相最適化、形状最適化、および応力比較を含んでいる。
【００２９】
まずステップＳ１では、設計変数を外プレートの１／４モデルの全域におけるメッシュ密度、目的関数を剛性最大化、制約条件を重量３０％減として位相最適化を行う。
【００３０】
位相最適化は、密度法を採用して行った。密度法では、外プレート７の材料の縦弾性係数Ｅが密度ρのＮ乗に比例する（Ｅ＝ρNＥ０）と仮定して、各メッシュの密度比を設計変数として最適位相を求める。Ｅ０は設定した縦弾性係数である。各メッシュの密度ρを０．０〜１．０で変化させることによって、位相最適化の計算で使われる縦弾性係数Ｅが０．０〜Ｅ０に変動する。最適化計算では、モデル１２の全域の各メッシュを設計変数とし、この設計変数が、重量を30％減とする制約条件を満たしながら、目的関数としての剛性の最大化を実現するために繰り返し計算を行って最適解を求める。最適解を求めるための有限要素解析ソフトや有限要素モデル作成プログラム等は既存のものを使用することができる。
【００３１】
図６は、位相最適化対象としてのローラチェーンモデルのメッシュデータを示す図である。有限要素モデル１２は、従来のローラチェーンに用いられている外プレートの１／４モデルである。解析は、モデル１２の対称境界１３，１４を拘束し、ピン孔８に対して矢印１５方向に作用する荷重Ｐを与えて行った。なお、分割メッシュは図示を省略している。
【００３２】
図６の濃淡模様は位相最適化計算による最適解としての密度分布を示す。模様の濃い部分が薄い部分より密度が大きい領域であり、この領域では外プレートが仕事をしてより大きい力を伝達する。つまり、ローラチェーンの外プレートとしては、濃度の高い部分がエネルギー伝達のために重要な部分であり、濃度の低い部分はさほど重要でない部分と判断できる。特に、モデル１２のうち、白抜きで表している領域１６，１７，１８等はローラチェーンの外プレートとしてはほとんど重要性はなく、削除可能と考えられる。
【００３３】
図５のステップＳ２では、形状トポロジーの決定を行う。ステップＳ２では、位相最適化で得られた重要部分とそうでない部分とに基づいて、外プレート７の望ましい形状を抽出する。つまり、図６の模様の濃淡から判断できる歪みエネルギーを分担できる最適な形状を解析者が判断して、手作業で制御点を決定する。
【００３４】
図７は、決定された形状のトポロジーを示す図であり、符号１８は制御点を示す。つまり、図６に示した濃度の高い部分を含む領域を特徴点としての制御点１８によって定義し、外プレート７の形状を決定している。ピン孔８の形状は半径で定義される。
【００３５】
形状のトポロジーが決定されたならば、ステップＳ３で形状最適化を行う。ステップＳ２では、外プレート７の特徴点を決定しただけであるので、ステップＳ３では、これに寸法を与える計算を行う。計算は、形状最適化のための既存のプログラムを使用する。形状最適化では、目的関数は剛性最大化、設計変数は制御点の移動量、制約条件は重量30％減である。図８は、形状最適化されて制御点が移動した結果のメッシュデータを示す図である。
【００３６】
図５のステップＳ４では、ステップＳ１〜Ｓ３で形状を決定した外プレート７と、従来形状の外プレートとのＣＡＥによる応力比較を行う。応力の評価はミーゼス応力を計算して行った。ミーゼス応力の計算は汎用の構造解析プログラムによって実行することができる。なお、応力の評価は、ミーゼス応力の計算によって行うものに限定されない。
【００３７】
図９は、従来の外プレートのミーゼス応力、図１０は本実施形態の上記手順で決定された外プレート７のミーゼス応力をそれぞれ示す図である。これらの図において、応力の大きい部分２０，２１は、いずれもピン孔８の周辺近くにあって、外プレート７の外窓１１を除いた領域に分布している。これから分かるように、本実施形態の外プレート７は従来の外プレートにおいて応力の小さい部分を削除し、応力の大きい部分は残した形状になっている。つまり、本実施形態の外プレート７は従来品の無駄な部分を削除したものに対応し、位相最適化および形状最適化手法により、重量最小化が達成されている。
【００３８】
なお、計算による応力解析と併せて、従来品の外プレートのピン孔に外プレートの長手外周方向へ荷重をかけて引っ張り試験を行い、ピン孔周りの４か所で応力−歪み線図を作成した。その結果、応力の増大に伴うピン孔周辺で外プレートの長さ方向の歪みは極めて小さく、この部分が剛性に関して無駄な領域であることが分かった。この結果は、上述のミーゼス応力の分布と符合する。
【００３９】
上述の位相最適化、形状最適化並びに応力比較、引っ張り試験等により、最適に軽量化された外プレート７の形状が決定され、内プレート４の形状も同様の手法で決定することができる。
【図面の簡単な説明】
【００４０】
【図１】本発明の一実施形態に係る駆動用ローラチェーンを構成する内リンクプレートの正面図である。
【図２】本発明の一実施形態に係る駆動用ローラチェーンを構成する外リンクプレートの正面図である。
【図３】本発明の一実施形態に係る駆動用ローラチェーンの斜視図である。
【図４】本発明の一実施形態に係る駆動用ローラチェーンの上面図である。
【図５】外リンクプレートの形状決定手順のフローチャートである。
【図６】位相最適化対象としてのローラチェーンモデルに係る密度のメッシュデータを示す図である。
【図７】形状のトポロジーを示す図である。
【図８】形状最適化されて制御点が移動した結果のメッシュデータを示す図である。
【図９】従来の外プレートのミーゼス応力を示す図である。
【図１０】本実施形態の手順で決定された外プレートのミーゼス応力を示す図である。
【符号の説明】
【００４１】
１…駆動用ローラチェーン、  ２…内リンク、  ３…外リンク、  ４…内プレート、  ５…ブッシュ孔、  ６…ブッシュ、  ７…外プレート、  ８…ピン孔、  ９…リンクピン、  １０…内窓、  １１…外窓、  １２…有限要素モデル、  １３…対称境界、  ４２、７２…辺、  
【図１】
2008020008.tif 000003
【図２】
2008020008.tif 000004
【図３】
2008020008.tif 000005
【図４】
2008020008.tif 000006
【図５】
2008020008.tif 000007
【図６】
2008020008.tif 000008
【図７】
2008020008.tif 000009
【図８】
2008020008.tif 000010
【図９】
2008020008.tif 000011
【図１０】
2008020008.tif 000012